(57)【要約】  本発明は、空間表示するモニタを製造するために、行（ｉ）と列（ｊ）からなるラスタにおいて画素ｘ（ｉ、ｊ）を有するモニタ上にパララックスバリアスクリーンを位置合わせする方法に関する。本方法において、特に、ｋ＝１、・・・、ｎで、ｎ＝６またはｎ＝７である種々の視点Ａ（ｋ）からなるテストパターンが呈示され、このテストパターンは、互いに異なった２つの延在方向を有する少なくとも２つの第１ストレートラインを有し、当該ラインが、それぞれｎ＝６またはｎ＝７の視点Ａ（ｋ）において異なった水平位置に配置されており、また、このテストパターンは、第１ラインの１つに対してそれぞれ平行に位置合わせされた少なくとも２つの第２ストレートラインを備え、当該ラインが、それぞれｎ＝６またはｎ＝７の視点Ａ（ｋ）においてそれぞれ少なくとも同じ水平位置に配置されている。本発明に係る方法は、迅速かつ高精度で実施することができ、したがって、空間標示するモニタを製造するための産業上の利用に適している。
2010529495.tif 000002
【特許請求の範囲】
【請求項１】
空間表示するモニタを製造するために、行（ｉ）と列（ｊ）からなるラスタにおいて画素ｘ（ｉ、ｊ）を有するモニタ（１）上にパララックスバリアスクリーン（２）を位置合わせする方法であって、
ｋ＝１、・・・、ｎで、ｎ＝６またはｎ＝７である種々の視点Ａ（ｋ）からなるテストパターンを、行（ｉ）と列（ｊ）とを有する前記画素ｘ（ｉ、ｊ）上に呈示するステップであって、前記テストパターンは、互いに異なった２つの延在方向を有し、当該ライン（６ａ、６ｂ）が、それぞれ前記ｎ＝６またはｎ＝７の視点Ａ（ｋ）において異なった水平位置に配置された少なくとも２つの第１ストレートライン（６ａ、６ｂ）を備えており、また、前記テストパターンが、前記第１ライン（６ａ、６ｂ）の１つに対してそれぞれ平行に位置合わせされ、それぞれ前記ｎ＝６またはｎ＝７の視点Ａ（ｋ）においてそれぞれ少なくとも前記同じ水平位置に配置された少なくとも２つの第２ストレートライン（７ａ、７ｂ）を備えている、テストパターンを呈示するステップと、
２次元カメラ（３）により所定の距離から前記パララックスバリアスクリーン（２）を通して前記呈示されたテストパターンを観察するステップと、
前記カメラ（３）で撮影され前記呈示されたテストパターンの写像において、各第１ライン（６ａ、６ｂ）が、対応配置された少なくとも１つの第２ライン（７ａ、７ｂ）にそれぞれシームレスに移行するように、また、前記写像においてすべての第１および第２ライン（６ａ、６ｂ、７ａ、７ｂ）が直線で途切れることなく示されるように、前記モニタ（１）の前方で前記パララックスバリアスクリーン（２）を位置合わせするステップと、
を包含し、
これにより、前記モニタ（１）に対する前記パララックスバリアスクリーン（２）の回転相対位置に関する画素ｘ（ｉ、ｊ）の前記モニタ（１）に対する前記パララックスバリアスクリーン（２）の位置合わせが、多くとも３弧分の公差で正確に定義され、且つ
これにより、前記モニタ（１）に対する前記パララックスバリアスクリーン（２）の水平および／または垂直相対位置に関する画素ｘ（ｉ、ｊ）の前記モニタ（１）に対する前記パララックスバリアスクリーン（２）の位置合わせが画素ｘ（ｉ、ｊ）の多くとも幅および／または高さの公差で正確に定義される、空間表示するモニタを製造するために、行（ｉ）と列（ｊ）からなるラスタにおいて画素ｘ（ｉ、ｊ）を有するモニタ（１）上にパララックスバリアスクリーン（２）を位置合わせする方法。
【請求項２】
前記少なくとも２つの第１ライン（６ａ、６ｂ）は、それぞれ互いに垂直に配置されていることを特徴とする、請求項１に記載の方法。
【請求項３】
前記第１ライン（６ｂ）は、前記画素ｘ（ｉ、ｊ）の前記行（ｉ）の方向に配置され、前記第１ライン（６ａ）は、前記画素ｘ（ｉ、ｊ）の前記列（ｊ）の方向に配置されていることを特徴とする、請求項１または２に記載の方法。
【請求項４】
前記ｎ＝６またはｎ＝７の視点Ａ（ｋ）の少なくとも１つにおいて、各第１ライン（６ａ、６ｂ）が、正確にまたは最大で２つの第２ライン（７ａ、７ｂ）にそれぞれシームレスに移行することを特徴とする、上記請求項１ないし３のうちのいずれか１項に記載の方法。
【請求項５】
前記ｎ＝６またはｎ＝７の視点Ａ（ｋ）の少なくとも１つにおいて、十字形部分をなすように配置された４つの直角が含まれていることと、前記モニタ（１）の前方で前記パララックスバリアスクリーン（２）を位置合わせするステップの後に、前記カメラ（３）で撮影された前記呈示されるテストパターンの写像における少なくとも２つの第１ライン（６ａ、６ｂ）が、前記直角によって形成された十字形部分の範囲内にあり、前記第１ライン（６ａ、６ｂ）が、前記直角のそれぞれ隣接する辺に対して実質的に平行に延び、且つ同じ距離を有することとを特徴とする、請求項２または３に記載の方法。
【請求項６】
前記位置合わせの後に前記カメラ（３）で撮影された前記呈示されるテストパターンの写像が、前記ｎ＝６またはｎ＝７の視点Ａ（ｋ）のうちのちょうど１視点の画素を少なくとも４０％含むことを特徴とする、上記請求項１ないし５のうちのいずれか１項に記載の方法。
【請求項７】
それぞれすべての第１ライン（６ａ、６ｂ）とそれぞれすべての第２ライン（７ａ、７ｂ）に同じ色が付与され、好ましくは、前記第１ライン（６ａ、６ｂ）の色と前記第２ライン（７ａ、７ｂ）の色とは異なることを特徴とする、上記請求項１ないし６のうちのいずれか１項に記載の方法。
【請求項８】
前記ｎ＝６またはｎ＝７の視点Ａ（ｋ）の少なくとも１つ、好ましくはすべてにおいて、モデルナンバーもしくはシリアルナンバー、および／または、識別タグ／オブジェクト等の英数字記号が組み込まれることを特徴とする、上記請求項１ないし７のうちのいずれか１項に記載の方法。
【請求項９】
前記パララックスバリアスクリーン（２）の位置合わせの後に、前記カメラ（３）で撮影された前記呈示されるテストパターンの写像を格納するさらなるステップが実行され、好ましくは、例えば、前記写像に関して格納される画像データを前記モニタ（１）のシリアルナンバーの形態で指定することにより、前記物理モニタ（１）および／または当該モニタ上に位置合わせされたパララックスバリアスクリーン（２）への一意的割当てが行われることを特徴とする、上記請求項１ないし８のうちのいずれか１項に記載の方法。
【請求項１０】
前記画素ｘ（ｉ、ｊ）は、カラーサブピクセル（Ｒ、ＧまたはＢ）あるいはカラーサブピクセルのクラスタ（例えば、ＲＧまたはＧＢ）あるいはフルカラーピクセルに対応することを特徴とする、上記請求項１ないし９のうちのいずれか１項に記載の方法。
【請求項１１】
前記パララックスバリアスクリーン（２）は、前記モニタ（１）の前方で位置合わせされた後に、所定の距離（ｓ）をあけて前記モニタ（１）に持続的に装着されることを特徴とする、上記請求項１ないし１０のうちのいずれか１項に記載の方法。
【請求項１２】
前記パララックスバリアスクリーン（２）は、位置合わせするステップの後に前記モニタ（１）に装着されず、さらなるステップにおいて、前記本発明に係る方法を後の時点で繰り返さなくてすむように、前記パララックスバリアスクリーン（２）の前記モニタ（１）に位置合わせされる装着を後から実現する標示を前記パララックスバリアスクリーン（２）および／または前記モニタ（１）上に設けることを特徴とする、請求項１ないし１０のうちのいずれか１項に記載の方法。
【請求項１３】
前記モニタ（１）として、カラーＬＣＤモニタ、プラズマディスプレイ、投影スクリーン、ＬＥＤベースのモニタ、ＯＬＥＤベースのモニタ、ＳＥＤモニタ、またはＶＦＤモニタが用いられることを特徴とする、上記請求項１ないし１２のうちのいずれか１項に記載の方法。
【請求項１４】
前記パララックスバリアスクリーン（２）は、垂直線に対して角度（ａ）傾斜させた透明および不透明の部分を含むことを特徴とする、上記請求項１ないし１３のうちのいずれか１項に記載の方法。
【請求項１５】
前記パララックスバリアスクリーン（２）がガラス基板からなり、その裏面にバリア構造が設けられることを特徴とする、上記請求項１ないし１４のうちのいずれか１項に記載の方法。
【請求項１６】
前記バリア構造が、露光および現像された写真用フィルムであり、当該フィルムが前記ガラス基板の裏面に積層され、好ましくは、前記写真用フィルムの乳剤層が前記ガラス基板に対面しないことを特徴とする、請求項１５に記載の方法。
【請求項１７】
前記バリア構造の不透明領域は、前記ガラス基板に印刷されたインクによって形成されることを特徴とする、請求項１５に記載の方法。
【請求項１８】
前記パララックスバリアスクリーン（２）は、反射光を低減する手段、好ましくは、少なくとも１つの干渉光反射防止層を含むことを特徴とする、上記請求項１ないし１７のうちのいずれか１項に記載の方法。
【請求項１９】
前記モニタ（１）は、映像表示要素ｘ（ｉ、ｊ）としてカラーサブピクセル（Ｒ、Ｇ、Ｂ）を有する１７インチＬＣＤモニタであり、前記画素ｘ（ｉ、ｊ）の高さが略０．２６４ｍｍであり、幅が略０．０８８ｍｍであり、前記呈示されるテストパターンにおける種々の視点Ａ（ｋ）の映像部分情報が以下のように配置され、
2010529495.tif 000003
前記パララックスバリアスクリーン（２）の前記透明部分が、前記垂直線に対して傾斜角ａ＝２３．９６２４８８９７°を有し、前記部分の幅ｅは、前記画素ｘ（ｉ、ｊ）を有する前記ラスタの行方向に、それぞれ０．１７５７６２ｍｍであり、その高さｌが０．３９５４６４５ｍｍであり、最終的に、前記透明部分の前記水平周期ｚｅが０．７０３０４８ｍｍであり、前記垂直周期ｚｌが１．５８１８５８ｍｍであることを特徴とする、上記請求項１ないし１８のうちのいずれか１項に記載の方法。
【請求項２０】
前記モニタ（１）は、画素ｘ（ｉ、ｊ）としてカラーサブピクセル（Ｒ、Ｇ、Ｂ）を有する３２インチＬＣＤモニタであり、前記画素ｘ（ｉ、ｊ）の高さが略０．５１１ｍｍであり、幅が略０．１７０３３ｍｍであり、前記テストパターンにおける種々の視点Ａ（ｋ）の映像部分情報が以下のように配置され、
2010529495.tif 000004
前記パララックスバリアスクリーン（２）の前記透明部分が、前記垂直線に対して傾斜角ａ＝２３．９６２４８８９７°を有し、前記部分の幅ｅは、前記画素ｘ（ｉ、ｊ）を有する前記ラスタの行方向に、それぞれ０．３３９７７６ｍｍであり、その高さｌが０．７６４４９６ｍｍであり、最終的に、前記透明部分の前記水平周期ｚｅが１．３５９１０４ｍｍであり、前記垂直周期ｚｌが３．０５７９８４ｍｍであることを特徴とする、請求項１ないし１８のうちのいずれか１項に記載の方法。
【請求項２１】
前記モニタ（１）は、画素ｘ（ｉ、ｊ）としてカラーサブピクセル（Ｒ、Ｇ、Ｂ）を有する４０インチＬＣＤモニタであり、前記画素ｘ（ｉ、ｊ）の高さが略０．６４８ｍｍであり、幅が略０．２１６ｍｍであり、前記呈示されるテストパターンにおける種々の視点Ａ（ｋ）の映像部分情報が以下のように配置され、
2010529495.tif 000005
前記パララックスバリアスクリーン（２）の前記透明部分が、前記垂直線に対して傾斜角ａ＝２３．９６２４８８９７°を有し、前記部分の幅ｅは、前記画素ｘ（ｉ、ｊ）を有する前記ラスタの行方向に、それぞれ０．４３０５６９２ｍｍであり、その高さｌが０．９６８７８１ｍｍであり、最終的に、前記透明部分の前記水平周期ｚｅが１．７２２２７６８ｍｍであり、前記垂直周期ｚｌが３．８７５１２４ｍｍであることを特徴とする、請求項１ないし１８のうちのいずれか１項に記載の方法。
【発明の詳細な説明】
【発明の詳細な説明】
【０００１】
本発明は、モニタ上でパララックスバリアスクリーンを位置合わせする方法に関する。
パララックスバリアスクリーンの専門分野には、かなり前から種々のアプローチが存在する。この分野でのパイオニアは、Ｆｒｅｄｅｒｉｃ  Ｉｖｅｓであり、彼は、刊行物ＧＢ１９０４１８６７２Ａにおいて３Ｄ表示のための「ラインスクリーン」を用いたシステムを紹介した。さらに、Ｓａｍ  Ｈ．Ｋａｐｌａｎによる刊行物「パララックスバリアの理論」ＳＭＰＴＥジャーナル  Ｖｏｌ．５９、Ｎｏ７、１１〜２１ページ、１９５２年７月、には３Ｄ表示のためにバリアスクリーンを使用する基本的知見が示されている。
【０００２】
しかし、長年にわたってオートステレオスコピックシステムが広く普及することはなかった。２０世紀の８０年代になって、ようやく利用可能になった計算能力と新種のディスプレイテクノロジーとがそろったことで３Ｄシステムの一種のルネッサンスが始まった。９０年代には、メガネを必要としない３Ｄビジュアライゼーションに関する特許出願および公開が相次いだ。なかでも、以下の発明者もしくは提供者が優れた成果をあげた：
ＪＰ０８３３１６０５ＡＡにて、Ｍａｓｕｔａｎｉ  Ｔａｋｅｓｈｉらは、透明なバリア要素が、ある意味でカラーサブピクセル（Ｒ、ＧまたはＢ）の規格外れである階段状バリアであることを記載する。この技術により、大抵のオートステレオスコピックシステムにおいて、同時に複数の視点（少なくとも２つ、好ましくは３つ以上の視点）を表示することによって生じる、水平方向の解像度の損失を部分的に垂直方向に置き換えることもできるようになった。ここでの不利な点は、すべてのバリア方式と同様に光の損失が大きいことである。さらに、観察者が左右に動いた場合にステレオコントラストが略１００％から略５０％に、そして再び１００％に変化するが、このことは、観察空間における３Ｄ映像の質を不安定にする。
【０００３】
Ａｒｍｉｎ  Ｇｒａｓｎｉｃｋらは、ＤＥ１０００３３２６Ｃ２をもって、３Ｄの印象を生成する２Ｄ構造の選択的波長フィルタアレイに関してバリア技術をさらなる発展へと導いた。しかしここでも不利なのは、このような３Ｄシステムの輝度が２Ｄディスプレイと比べて著しく低いことである。
【０００４】
最後に、Ｗｏｌｆｇａｎｇ  Ｔｚｓｃｈｏｐｐｅらは、輝度を改善したバリア技術に関するＷＯ２００４／０７７８３９Ａ１を出願した。ここではＪＰ０８３３１６０５ＡＡおよびＤＥ１０００３３２６Ｃ２の階段状バリアのアプローチに基づいて、示される視点の数がｎである場合にて、不透明なバリアフィルタ要素に対する透明なバリアフィルタ要素について１／ｎよりも大きい特殊なデューティー比が紹介された。しかしこの刊行物で開示された実施形態および教示は、通常、不快なモアレ効果および／または著しく制限された奥行きに関する感覚をもたらす。なぜなら、ステレオコントラストが、例えばＪＰ０８３３１６０５ＡＡの教示と比較して著しく低減されるからである。
【０００５】
ＵＳ２００６／００５１１０９Ａ１（Ｌｉｍら）には、３Ｄ画像生成装置（例えば、レンズやバリアスクリーン）をモニタの前方で位置合わせし、位置合わせが正確なら接着剤を硬化させるという３Ｄディスプレイの製造に関して記載されている。ここでは、オペレータまたはカメラが観察するブラックストライプが特徴として示される。この場合の不利な点は、特に、ブラックストライプまたはブラックエリアだけに依拠した位置合わせでは、必要とされる正確さが必ずしも達成されないことである。これに対して、フルホワイトエリアとフルブラックエリアそれぞれの異なった画像コンテンツを有する少なくとも１つの左画像と１つの右画像とを位置合わせテストパターンとしてその都度利用することを提案する別の方法は、２つの分離した部分画像、すなわち左画像と右画像との評価を必要とする。
【０００６】
ＤＥ１０２５２８３０Ｂ３（Ｍａｌｙ−Ｍｏｔｔａ）には、電気光学センサによって自動的にキャリブレーションされる平面ディスプレイ用オートステレオスコピックアダプタについて記載されている。ただし、ここで使用されるテストパターンについてはなんら言及されていないため、最終的なキャリブレーションの品質についてはなんとも言えない。
【０００７】
本発明は、空間表示するモニタを可能な限り簡単な手段で製作して十分に正確な位置合わせを短時間で実現する、モニタ上でパララックスバリアスクリーンを位置合わせする可能性を提供するという課題に基づく。
【０００８】
本発明によると、上記課題は、
ｋ＝１、・・・、ｎで、ｎ＝６またはｎ＝７である種々の視点Ａ（ｋ）からなるテストパターンを、行（ｉ）と列（ｊ）とを有する画素ｘ（ｉ、ｊ）上に呈示するステップであって、前記テストパターンは、互いに異なった２つの延在方向を有し、当該ラインが、それぞれｎ＝６またはｎ＝７の視点Ａ（ｋ）において異なった水平位置に配置された少なくとも２つの第１ストレートラインを備えており、また、前記テストパターンが、前記第１ラインの１つに対してそれぞれ平行に位置合わせされ、それぞれｎ＝６またはｎ＝７の視点Ａ（ｋ）においてそれぞれ少なくとも同じ水平位置に配置された少なくとも２つの第２ストレートラインを備えている、テストパターンを呈示するステップと、
通常、２次元カメラにより所定の距離から前記パララックスバリアスクリーンを通して前記呈示されたテストパターンを観察するステップと、
前記カメラで撮影された前記呈示されるテストパターンの写像において、各第１ラインが、対応配置された少なくとも１つの第２ラインにそれぞれシームレスに移行するように、また、前記写像においてすべての第１および第２ラインが直線で途切れることなく示されるように、前記モニタの前方で前記パララックスバリアスクリーンを位置合わせするステップと、
を包含し、
これにより、前記モニタに対する前記パララックスバリアの回転相対位置に関する画素ｘ（ｉ、ｊ）のモニタに対する前記パララックスバリアの位置合わせが、多くとも３弧分の公差で正確に定義され、且つ
これにより、前記モニタに対する前記パララックスバリアスクリーンの水平および／または垂直相対位置に関する画素ｘ（ｉ、ｊ）のモニタに対する前記パララックスバリアスクリーンの位置合わせが画素ｘ（ｉ、ｊ）の多くとも幅および／または高さの公差で正確に定義される、空間表示するモニタを製造するために、行（ｉ）と列（ｊ）からなるラスタにおいて画素ｘ（ｉ、ｊ）を有するモニタ上にパララックスバリアスクリーンを位置合わせする方法によって解決される。
【０００９】
上述のパララックスバリアスクリーンの水平および／または垂直方向の相対位置に関する位置合わせは、詳細に指定された公差で、通常、画素ｘ（ｉ、ｊ）の幅もしくは高さの略整数倍である反復周期内にのみ達成されることは言うまでもなく、この場合、それぞれの整数倍は、テストパターンにある視点の水平もしくは垂直方向の周期性によって決定される。
【００１０】
また、特に２つよりも多い場合は、すべての第１ラインが１組ずつ分離された方向に延在する必要はない。第１ラインのグループ全体が少なくとも２つの方向に延在していればそれで十分である。第２ラインを第１ラインに対して平行に配置することにより、第２ラインについても同じことが言える。
【００１１】
位置合わせのステップは、基本的に、オペレータの手によって、または、ロボットで自動的に行うか、場合によっては、オペレータとロボットを組み合わせて行うこともできる。
【００１２】
インデクックスｉは、画素ｘ（ｉ、ｊ）からなるラスタの行を表し、インデックスｊは列を表す。
テストパターンにおける視点の数が６または７であると、テストパターンを効率的に設置できる一方で、正確な位置合わせを達成するために十分に良好なテスト効果が得られる。
【００１３】
パララックスバリアスクリーンのパラメータは、冒頭で述べたＫａｐｌａｎ論文から公知の２つの数式（１）および数式（２）を用いて簡単に算出することができる。これにより、画素ｘ（ｉ、ｊ）からなるラスタとパララックスバリアスクリーンとの間の距離ｓと、例えば６５ｍｍに設定された人間の平均的眼間距離と、観察距離と、バリアの透明部分の（水平）周期長と、当該透明部分の線幅との必要なすべての関係が求められる。さらに、冒頭で述べた刊行物のいくつかにも、当業者に周知であるパララックスバリアスクリーンの別の実施形態が記載されている。
【００１４】
本発明に係る方法では、有利にも、それぞれ互いに垂直である第１ラインと第２ラインのちょうど２つの延在方向がある。さらに、一般性を制限すること、第１ラインの第１延在方向が画素ｘ（ｉ、ｊ）の行（ｉ）の方向に、そして、第１ラインの第２延在方向が画素ｘ（ｉ、ｊ）の列（ｊ）の方向に配置されるならば有利である。実際には、テストパターンにおいて少なくとも１つの水平第１ラインと少なくとも５つの垂直ラインを利用するとよいことが分かっている。
【００１５】
さらに、ｎ＝６またはｎ＝７の視点Ａ（ｋ）の少なくとも１つにおいて、各第１ラインがそれぞれちょうど１つの第２ラインにシームレスに移行するようにテストパターンを構成することが有用である。
【００１６】
さらに、ｎ＝６またはｎ＝７の視点Ａ（ｋ）の少なくとも１つにおいて十字形部分が形成されるように配置された４つの直角が含まれるとよい。そうすることでパララックスバリアスクリーンをモニタ前方で位置合わせするステップの後に、提供されたテストパターンをカメラで撮影した写像において、第１延在方向の少なくとも１つの第１ラインと第２延在方向の少なくとも１つの別の第１ラインが４つの直角で形成された十字形部分の内側に位置するが、この場合、これらのラインのそれぞれと２つの最隣接直角との距離は実質的に等しい。この実施形態により、位置合わせの正確さがさらに向上する。
【００１７】
しかし、多くの場合、必ずしもいつもそうとは限らないが、カメラを位置合わせしてから撮影された呈示されるテストパターンの写像は、ｎ＝６またはｎ＝７の視点Ａ（ｋ）のうちのちょうど１視点の画素を少なくとも４０％含む。
【００１８】
それぞれすべての第１およびそれぞれすべての第２ラインは、好ましくは、同じ色を有し、第１ラインの色および第２ラインの色が異なることが好ましい。
本発明に係る方法を産業上の利用のためにさらに有利に具現化するために、少なくとも１つの、好ましくはｎ＝６またはｎ＝７の視点Ａ（ｋ）のすべてにおいて、英数字記号、好ましくは、モデルナンバーもしくはシリアルナンバーおよび／または識別タグ／識別オブジェクトが含まれる。これにより、例えば、イメージにモデルナンバーを見ることができ、オペレータもしくはロボットがこのモデルナンバーと作業中のモニタとを常時比較して決まったモニタモデル対して適切なテストパターンを用いることが確保される。さらに、パララックスバリアスクリーンの位置合わせの後に、カメラで撮影された呈示されるテストパターンの写像を格納するさらなるステップが実行され、好ましくは、例えば、前記写像に関して格納される画像データを前記モニタのシリアルナンバーの形態で指定することにより、物理モニタおよび／または当該モニタ上に位置合わせされたパララックスバリアスクリーンへの一意的割当てが行われる。こうして、決まったモニタにパララックスバリアスクリーンを装着または位置合わせすることにより、手はずどおりに３Ｄ状態に移行されていることを後から確実に証明できる。
【００１９】
さらに、画素ｘ（ｉ、ｊ）は、カラーサブピクセル（Ｒ、ＧまたはＢ）あるいはカラーサブピクセルのクラスタ（例えば、ＲＧ、ＧＢ、またはＲＧＢＲ等）あるいはフルカラーピクセルにそれぞれ対応し、この場合、フルカラーピクセルとは、ＲＧＢカラーサブピクセルからなる白色混合産物、すなわちＲＧＢトリプレット、ならびに、映像生成技術にもよるが、例えば、投影モニタにおいて普及しているような、実際のフルカラーピクセルのことである。
【００２０】
基本的に、モニタ前方に所定距離ｓをあけて位置合わせしてから、モニタに持続的に装着するとよい。これは、永続的な改造である。
しかしこれに対して、パララックスバリアスクリーンが位置合わせステップ後にモニタに装着されるのではなく、別のステップで、本発明に係る方法を後の時点で繰り返さなくてすむように、位置合わせしたパララックスバリアスクリーンのモニタへの装着を後から行えるようにする標示をパララックスバリアスクリーンおよび／またはモニタ上に設けることも可能である。
【００２１】
モニタは、好ましくは、カラーＬＣＤモニタ、プラズマディスプレイ、投影スクリーン、ＬＥＤベースのモニタ、ＯＬＥＤベースのモニタ、ＳＥＤモニタ、またはＶＦＤモニタであり得る。
【００２２】
パララックスバリアスクリーンは、垂直線に対して角度ａ傾斜した透明部分および半透明部分を含む。この部分はガラス基板からなり、その裏面にはバリア構造が設けられている。
【００２３】
このバリア構造は、露光および現像された写真用フィルムであることが可能で、当該フィルムが前記ガラス基板の裏面に積層され、この場合、写真用フィルムの乳剤層がガラス基板に対面しないことが好ましい。
【００２４】
これに代えて、バリア構造の不透明領域は、ガラス基板に印刷されたインクによってなることも可能である。透明領域は、単に対応する領域にインクを置かないことで作製できる。
【００２５】
さらなる製造方法は、従来技術から公知であるので説明は省略する。
本発明に係る方法では、画素ｘ（ｉ、ｊ）からなるラスタ上に呈示されるテストパターンにおける種々の視点Ａ（ｋ）の映像部分情報の配置は、有利にも、二次元周期パターンで行われ、この場合、周期長は、水平方向および垂直方向にそれぞれ３２以下の画素ｘ（ｉ、ｊ）を含むことが好ましい。それぞれ上限で３２の画素ｘ（ｉ、ｊ）の例外も許容される。
【００２６】
通常、上述の二次元周期パターンの上述の水平周期長と垂直周期長が対辺および隣辺としてなす角度は、実質的に、パララックスバリアスクリーン上の透明部分の垂直線に対する傾斜角に対応する。
【００２７】
パララックスバリアスクリーンは、有利にも、反射光を低減する手段、好ましくは、少なくとも１つの干渉光反射防止層を含む。
位置合わせしたパララックスバリアを有するモニタ上に後から３Ｄ表示する場合、種々の他の３Ｄ表示方法でもそうであるように、視点Ａ（ｋ）は、シーンまたはオブジェクトの種々の透視投影にそれぞれ対応する。
【図面の簡単な説明】
【００２８】
以下において、本発明を実施例に基づいて詳細に説明する。図面において、
【図１】本発明による方法を適用する模式的構造を示す。
【図２】本発明に係る方法において使用するパララックスバリアスクリーンの例示的バリア構造である。
【図３】テストパターンにおける種々の視点の映像部分情報の例示的な映像組合せを示す。
【図４−６】呈示されるテストパターンに映像部分情報が示される個々の視点Ａ（ｋ）の視認例である。
【図７】寸法指定したパララックスバリアスクリーンの模式図を示す。
【発明を実施するための形態】
【００２９】
全図面が縮尺どおりでない。このことは、特に、角度に該当する。
図１は、本発明に係る方法を実現するための模式的構造を示す。ここには、パララックスバリアスクリーン２が、行（ｉ）および列（ｊ）からなるラスタの形での画素ｘ（ｉ、ｊ）を有するモニタ１上に位置合わせされ、これにより、空間表示するモニタができる。さらに（一般に、２次元の）カメラ３が示され、その出力信号が、例えば、フレームグラバカードによりＰＣ４に取り込まれ、このＰＣが信号を変換してコントロールモニタ５に表示する。
【００３０】
本発明によると、
ｋ＝１、・・・、ｎで、ｎ＝６である種々の視点Ａ（ｋ）からなるテストパターンを、行（ｉ）と列（ｊ）とを有する画素ｘ（ｉ、ｊ）上に呈示するステップであって、前記テストパターンは、互いに異なった２つの延在方向を有し、当該ラインが、それぞれｎ＝６またはｎ＝７の視点Ａ（ｋ）において異なった水平位置に配置された少なくとも２つの第１ストレートラインを備えており、また、前記テストパターンが、前記第１ラインの１つに対してそれぞれ平行に位置合わせされ、それぞれｎ＝６またはｎ＝７の視点Ａ（ｋ）においてそれぞれ少なくとも同じ水平位置に配置された少なくとも２つの第２ストレートラインを備えている、テストパターンを呈示するステップと、
２次元カメラ３により所定の距離から前記パララックスバリアスクリーン２を通して前記呈示されたテストパターンを観察するステップと、
前記カメラ３で撮影された前記呈示されるテストパターンの写像において、各第１ラインが、対応配置された少なくとも１つの第２ラインにそれぞれシームレスに移行するように、また、前記写像においてすべての第１および第２ラインが直線で途切れることなく示されるように、前記モニタ１の前方で前記パララックスバリアスクリーン２を位置合わせするステップとが実施され、
これにより、前記モニタ１に対する前記パララックスバリア２の回転相対位置に関する画素ｘ（ｉ、ｊ）のモニタ１に対する前記パララックスバリア２の位置合わせが、多くとも３弧分の公差で正確に定義され、且つ
これにより、前記モニタ１に対する前記パララックスバリアスクリーン２の水平および／または垂直相対位置に関する画素ｘ（ｉ、ｊ）のモニタ１に対する前記パララックスバリアスクリーン２の位置合わせが画素ｘ（ｉ、ｊ）の多くとも幅および／または高さの公差で正確に定義される。
【００３１】
位置合わせステップは、例えば、オペレータの手によって行われる。
カメラ３は、好ましくは、パララックスバリアスクリーン２の前方に、モニタ１の前方の選択された３Ｄ観察距離に対応する距離をあけて配置される。この距離は、通常、当業者に公知のように、モニタ１とパララックスバリアスクリーン２との間の距離ｓにより、例えば、冒頭で述べたカプラン論文で列挙されたパラメータと関係付けて決定される。好ましくは、カメラ３は、モニタ１の面の中点の前方に光学的に垂直に位置決めされる。
【００３２】
図２では、本発明に係る方法において使用するパララックスバリアスクリーン２の例示的バリア構造が示される。このパララックスバリアスクリーン２は、垂直線に対して角度ａ傾斜させた透明部分と不透明部分とを含む。これは、ガラス基板からなり、その裏面にバリア構造が設けられている。例えばガラス製ではない（例えばプラスチック）基板の実施形態も可能である。例えば、ガラス製ではない他の実施形態も可能である。
【００３３】
バリア構造は、ここでは例えば、露光および現像された写真用フィルムであり、当該フィルムが前記ガラス基板の裏面に積層され、この場合、写真用フィルムの乳剤層がガラス基板に対面しないことが好ましい。
【００３４】
さらに、図３は、テストパターンにおける種々の視点の映像部分情報の例示的な映像組合せを示し、これが画素ｘ（ｉ、ｊ）上に示される。本発明に係る方法では、画素ｘ（ｉ、ｊ）からなるラスタ上に呈示されるテストパターンにおける種々の視点Ａ（ｋ）の映像部分情報の配列は、有利にも二次元周期パターンで行われる。
【００３５】
通常、上述の二次元周期パターンの上述の水平周期長と垂直周期長が対辺および隣辺としてなす角度は、実質的に、パララックスバリアスクリーン２上の透明部分の垂直線に対する傾斜角に対応する。パララックスバリアスクリーン２は、有利にも、反射光を低減する手段、好ましくは、少なくとも１つの干渉光反射防止層を含む。
【００３６】
さらに、呈示されるテストパターンにおける映像部分情報が示されるｋ＝１、ｋ＝３およびｋ＝５の個々の視点Ａ（ｋ）の視認例を図４から図６に示す。
ここでは、互いに異なる２つの延在方向を有する少なくとも２つの第１直線６ａ６ｂが見て取れる。これらのラインは、水平位置が異なったｎ＝６の視点Ａ（ｋ）にそれぞれ配置されている。さらに、テストパターンが第１ライン６ａ、６ｂの１つに対してそれぞれ平行に位置合わせされ、且つ、それぞれ少なくとも同じ水平位置のｎ＝６の視点Ａ（ｋ）にそれぞれ配置されている。
【００３７】
この場合、図４〜６からわかるように、第１ライン６ａおよび６ｂは、それぞれ互いに垂直に配置されている。さらに、一般性を制限することなく、第１ライン６ｂを画素ｘ（ｉ、ｊ）の行（ｉ）の方向に、そして第１ライン６ａを画素ｘ（ｉ、ｊ）の列（ｊ）の方向に配置すると有利である。実際には、テストパターンにおいて少なくとも１つの第１ライン６ｂと少なくとも５つの第１ライン６ａを用いることが有効であること実証されている。さらに、ｎ＝６の視点Ａ（ｋ）の少なくとも１つが各第１ライン６ａ、６ｂをそれぞれ正確に１つまたは最大２つのライン７ａ、７ｂにシームレスに移行するようにテストパターンを具現化することが有意義であり、ここでは図５に対応する。
【００３８】
パララックスバリアスクリーン２がモニタ１の前方で正確に位置合わせされるようにするために、カメラ３で撮影された呈示されるテストパターンのイメージは、ほぼ図５の視点ｋ＝３のように見える。モニタ１に対するパララックスバリアスクリーン２の回転相対位置に関する位置合わせが正確でない場合、特に、第１ライン６ａ、６ｂが直線でなく、むしろ、途切れた外観を示すか、または縁部がジグザグになる。このことは、さらに回転させて上述の相対位置を変更することによって位置合わせを続行することのサインであるといえよう。
【００３９】
モニタ１に対するパララックスバリアスクリーン２の水平および／または垂直相対位置の位置合わせが正確でないと、すべての第１ライン６ａ、６ｂは対応する第２ライン７ａ、７ｂにシームレスに移行することはない。このことは、最終的に正確な位置に到達するために、パララックスバリアスクリーン２をモニタ１の前方で水平および/または垂直に動かすことのサインといえよう。
【００４０】
さらに、図４〜図６からわかるように、ｎ＝６の視点Ａ（ｋ）のすべてにおいて、十字形部分をなすように構成された４つの直角８．１、８．２、８．３および８．４が含まれている。モニタ１の前方でパララックスバリアスクリーン２を位置合わせするステップの後に少なくとも２つの第１ライン６ａ、６ｂが、カメラ３で撮影された呈示されるテストパターンのイメージにおいて形成された十字形部分の範囲内にあり、この場合、すべての第１ライン６ａ、６ｂそれぞれと２つの最隣接直角それぞれとの距離（例えば、直角８．１と直角８．２もしくは直角８．４）は、実質的に等しい。この実施形態により、モニタ１前方でのパララックスバリアスクリーン２の位置決めの正確さがさらに向上する。
【００４１】
それぞれすべての第１ラインおよびそれぞれすべての第２ライン６ａ、６ｂ、７ａ、７ｂは、好ましくは、同じ色を有し、この場合、第１ライン６ａ、６ｂの色と、第２ライン７ａ、７ｂの色とは異なることが好ましい。図面の図４〜図６では、色の違いが異なったパターンで表わされる。
【００４２】
本発明に係る方法を産業上の利用のためにさらに有利に具現化するために、少なくとも１つの、好ましくはｎ＝６の視点Ａ（ｋ）のすべてにおいて、英数字記号、好ましくは、モデルナンバーもしくはシリアルナンバーおよび／または識別タグ／識別オブジェクトが含まれる。これにより、例えば、決まったモニタモデルに適切なテストパターンが用いられる。図４〜図６では、例えば、「１７’’３Ｄ」と記されていることがわかる。
【００４３】
パララックスバリアスクリーン２の位置合わせの後に、さらにカメラ３で撮影された呈示されるテストパターンのイメージを格納するさらなるステップを実行することができ、この場合、例えば、上述のイメージの格納される画像データをモニタ１のシリアルナンバーの形態で指定することによって、物理モニタ１および／またはこれに位置合わせされたパララックスバリアスクリーン２に対する一意的割り当てが行われることが好ましい。
【００４４】
この実施例では、パララックスバリアスクリーン２は、先に定義した距離ｓを保つためのスペーサを用いてモニタ１に持続的に装着され、例えば、貼着または螺着される。
モニタ１は、好ましくはカラーＬＣＤモニタであり得る。
【００４５】
位置合わせしたパララックスバリアスクリーン２を有するモニタ１上に後から３Ｄ表示する場合、種々の他の３Ｄ表示方法でもそうであるように、視点Ａ（ｋ）は、シーンまたはオブジェクトの種々の透視投影にそれぞれ対応する。
【００４６】
本発明に係る方法の可能な実現をさらに説明するために、次にさらなる例示的詳細およびパラメータを挙げる。
モニタ１として考えられるのは、第１実施形態では、行ｉ＝１、・・・、７６８および列ｊ＝１、・・・、１３６０*３＝４０８０の解像度を有するラスタ（ｉ、ｊ）における画素ｘ（ｉ、ｊ）としてカラーサブピクセルＲ、Ｇ、Ｂを備え、画素ｘ（ｉ、ｊ）上に、ｋ＝１、・・・ｎおよびｎ＝６である種々の視点Ａ（ｋ）の映像部分情報、すなわち、先に述べた特性を有する対応するテストパターンも可視化することができる対角サイズ略４０インチのＮＥＣの型式ＬＣＤ４０１０のＬＣＤモニタを用いる。カラーサブピクセル（Ｒ、Ｇ、Ｂ）は、例で知られるように、高さがそれぞれ略０．６４８ｍｍおよびその幅が略０．２１６ｍｍである画素ｘ（ｉ、ｊ）に対応する。
【００４７】
図７の寸法指定によると、パララックスバリアスクリーン２の透明部分の垂直線に対する傾斜角はａ＝２３．９６２４８８９７°である。画素ｘ（ｉ、ｊ）を有するラスタの水平方向の前記部分の幅ｅは、０．４３０５６９２ｍｍであり、その高さｌが０．９６８７８１ｍｍである。透明部分の水平周期ｚｅは、１．７２２２７６８ｍｍであり、垂直周期ｚｌが３．８７５１２４ｍｍである。
【００４８】
さらなる実施形態では、映像表示装置として、４０インチのＬＣＤモニタに代えてＮＥＣの型式ＬＣＤ３２１０の３２インチＬＣＤモニタを用いる。ここでも、カラーサブピクセル（Ｒ、Ｇ、Ｂ）が画素ｘ（ｉ、ｊ）として用いられる。この場合も同様に、行ｉ＝１、・・・、７６８と列ｊ＝１、・・・、１３６０*３＝４０８０の解像度が提供され、この場合、画素ｘ（ｉ、ｊ）の高さは略０．５１１ｍｍであり、幅が略０．１７０３３ｍｍであり、図３によるテストパターンにおける種々の視点Ａ（ｋ）の映像部分情報が配置されており、パララックスバリアスクリーン２の透明部分の垂直線に対する傾斜角ａが２３．９６２４８８９７°であり、画素ｘ（ｉ、ｊ）を有するラスタの水平方向の前記部分の幅ｅは、それぞれ０．３３９７７６ｍｍであり、その高さｌが０．７６４４９６ｍｍである。
【００４９】
透明部分の水平周期ｚｅは、１．３５９１０４ｍｍであり、垂直周期ｚｌが３．０５７９８４ｍｍである（図７と比較）。
さらには、ＮＥＣのＬＣＤ３２１０モニタおよびＮＥＣのＬＣＤ４０１０モニタは、水平線において元から１３６６*３画素を具有しているが、ピクセルを正確に制御するために、通常、１３６０*３＝４０８０だけの水平画素、すなわち、カラーサブピクセルＲ、Ｇ、Ｂを用いるとよい。
【００５０】
さらなる実施例では、ＢｅｎＱの型式ＦＰ７２Ｅの１７インチＬＣＤモニタを用いる。ここでも、カラーサブピクセル（Ｒ、Ｇ、Ｂ）が画素ｘ（ｉ、ｊ）として用いられる。この場合も同様に、行ｉ＝１、・・・、１０２４と列ｊ＝１、・・・、１２８０*３＝３８４０の解像度が提供され、この場合、画素ｘ（ｉ、ｊ）の高さは略０．２６４ｍｍであり、幅が略０．０８８ｍｍであり、図３による種々の視点Ａ（ｋ）の映像部分情報が配置されており、パララックスバリアスクリーン２の透明部分の垂直線に対する傾斜角ａが２３．９６２４８８９７°であり、画素ｘ（ｉ、ｊ）を有するラスタの水平方向の前記部分の幅ｅは、それぞれ０．１７５７６２ｍｍであり、その高さｌが０．３９５４６４５ｍｍである。
【００５１】
透明部分の水平周期ｚｅは、０．７０３０４８ｍｍであり、垂直周期ｚｌが１．５８１８５８ｍｍである（図７と比較）。
本発明の利点は多面的である。特に、本発明に係る方法により、立体表示するモニタを製造するためのモニタ上でのパララックスバリアスクリーンの位置合わせが比較的短時間で高精度に行うことが可能になる。さらに、種々の大型モニタに対応するテストパターンを用いることができ、その限りでは非常にフレキシブルである。さらに、上述の位置合わせは、手動、自動、または半自動で実行できる。
【００５２】
本発明は、市販の手段を用いて簡単に実現することができる。
【図１】
2010529495.tif 000006
【図２】
2010529495.tif 000007
【図３】
2010529495.tif 000008
【図５】
2010529495.tif 000009
【図６】
2010529495.tif 000010
【図７】
2010529495.tif 000011
【図４】
2010529495.tif 000012
【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
空間表示するモニタを製造するために、行（ｉ）と列（ｊ）からなるラスタにおいて画素ｘ（ｉ、ｊ）を有するモニタ（１）上にパララックスバリアスクリーン（２）を位置合わせする方法であって、
ｋ＝１、・・・、ｎで、ｎ＝６またはｎ＝７である種々の視点Ａ（ｋ）からなるテストパターンを、行（ｉ）と列（ｊ）とを有する前記画素ｘ（ｉ、ｊ）上に呈示するステップであって、前記テストパターンは、互いに異なった２つの延在方向を有し、当該ライン（６ａ、６ｂ）が、それぞれ前記ｎ＝６またはｎ＝７の視点Ａ（ｋ）において異なった水平位置に配置された少なくとも２つの第１ストレートライン（６ａ、６ｂ）を備えており、また、前記テストパターンが、前記第１ライン（６ａ、６ｂ）の１つに対してそれぞれ平行に位置合わせされ、それぞれ前記ｎ＝６またはｎ＝７の視点Ａ（ｋ）においてそれぞれ少なくとも前記同じ水平位置に配置された少なくとも２つの第２ストレートライン（７ａ、７ｂ）を備えている、テストパターンを呈示するステップと、
２次元カメラ（３）により所定の距離から前記パララックスバリアスクリーン（２）を通して前記呈示されたテストパターンを観察するステップと、
前記カメラ（３）で撮影され前記呈示されたテストパターンの写像において、各第１ライン（６ａ、６ｂ）が、対応配置された少なくとも１つの第２ライン（７ａ、７ｂ）にそれぞれシームレスに移行するように、また、前記写像においてすべての第１および第２ライン（６ａ、６ｂ、７ａ、７ｂ）が直線で途切れることなく示されるように、前記モニタ（１）の前方で前記パララックスバリアスクリーン（２）を位置合わせするステップと、
を包含し、
これにより、前記モニタ（１）に対する前記パララックスバリアスクリーン（２）の回転相対位置に関する画素ｘ（ｉ、ｊ）の前記モニタ（１）に対する前記パララックスバリアスクリーン（２）の位置合わせが、多くとも３弧分の公差で定義され、且つ
これにより、前記モニタ（１）に対する前記パララックスバリアスクリーン（２）の水平および／または垂直相対位置に関する画素ｘ（ｉ、ｊ）の前記モニタ（１）に対する前記パララックスバリアスクリーン（２）の位置合わせが画素ｘ（ｉ、ｊ）の多くとも幅および／または高さの公差で定義される、空間表示するモニタを製造するために、行（ｉ）と列（ｊ）からなるラスタにおいて画素ｘ（ｉ、ｊ）を有するモニタ（１）上にパララックスバリアスクリーン（２）を位置合わせする方法。
【請求項２】
前記少なくとも２つの第１ライン（６ａ、６ｂ）は、それぞれ互いに垂直に配置されていることを特徴とする、請求項１に記載の方法。
【請求項３】
前記第１ライン（６ｂ）は、前記画素ｘ（ｉ、ｊ）の前記行（ｉ）の方向に配置され、前記第１ライン（６ａ）は、前記画素ｘ（ｉ、ｊ）の前記列（ｊ）の方向に配置されていることを特徴とする、請求項１または２に記載の方法。
【請求項４】
前記ｎ＝６またはｎ＝７の視点Ａ（ｋ）の少なくとも１つにおいて、各第１ライン（６ａ、６ｂ）が、最大で２つの第２ライン（７ａ、７ｂ）にそれぞれシームレスに移行することを特徴とする、上記請求項１ないし３のうちのいずれか１項に記載の方法。
【請求項５】
前記ｎ＝６またはｎ＝７の視点Ａ（ｋ）の少なくとも１つにおいて、十字形部分をなすように配置された４つの直角が含まれていることと、前記モニタ（１）の前方で前記パララックスバリアスクリーン（２）を位置合わせするステップの後に、前記カメラ（３）で撮影された前記呈示されるテストパターンの写像における少なくとも２つの第１ライン（６ａ、６ｂ）が、前記直角によって形成された十字形部分の範囲内にあり、前記第１ライン（６ａ、６ｂ）が、前記直角のそれぞれ隣接する辺に対して平行に延び、且つ同じ距離を有することとを特徴とする、請求項２または３に記載の方法。
【請求項６】
前記位置合わせの後に前記カメラ（３）で撮影された前記呈示されるテストパターンの写像が、前記ｎ＝６またはｎ＝７の視点Ａ（ｋ）のうちのちょうど１視点の画素を少なくとも４０％含むことを特徴とする、上記請求項１ないし５のうちのいずれか１項に記載の方法。
【請求項７】
それぞれすべての第１ライン（６ａ、６ｂ）とそれぞれすべての第２ライン（７ａ、７ｂ）に同じ色が付与され、好ましくは、前記第１ライン（６ａ、６ｂ）の色と前記第２ライン（７ａ、７ｂ）の色とは異なることを特徴とする、上記請求項１ないし６のうちのいずれか１項に記載の方法。
【請求項８】
前記ｎ＝６またはｎ＝７の視点Ａ（ｋ）の少なくとも１つ、好ましくはすべてにおいて、モデルナンバーもしくはシリアルナンバー、および／または、識別タグ／オブジェクト等の英数字記号が組み込まれることを特徴とする、上記請求項１ないし７のうちのいずれか１項に記載の方法。
【請求項９】
前記パララックスバリアスクリーン（２）の位置合わせの後に、前記カメラ（３）で撮影された前記呈示されるテストパターンの写像を格納するさらなるステップが実行され、好ましくは、例えば、前記写像に関して格納される画像データを前記モニタ（１）のシリアルナンバーの形態で指定することにより、前記物理モニタ（１）および／または当該モニタ上に位置合わせされたパララックスバリアスクリーン（２）への一意的割当てが行われることを特徴とする、上記請求項１ないし８のうちのいずれか１項に記載の方法。
【請求項１０】
前記画素ｘ（ｉ、ｊ）は、カラーサブピクセル（Ｒ、ＧまたはＢ）あるいはカラーサブピクセルのクラスタ（例えば、ＲＧまたはＧＢ）あるいはフルカラーピクセルに対応することを特徴とする、上記請求項１ないし９のうちのいずれか１項に記載の方法。
【請求項１１】
前記パララックスバリアスクリーン（２）は、前記モニタ（１）の前方で位置合わせされた後に、所定の距離（ｓ）をあけて前記モニタ（１）に持続的に装着されることを特徴とする、上記請求項１ないし１０のうちのいずれか１項に記載の方法。
【請求項１２】
前記パララックスバリアスクリーン（２）は、位置合わせするステップの後に前記モニタ（１）に装着されず、さらなるステップにおいて、前記本発明に係る方法を後の時点で繰り返さなくてすむように、前記パララックスバリアスクリーン（２）の前記モニタ（１）に位置合わせされる装着を後から実現する標示を前記パララックスバリアスクリーン（２）および／または前記モニタ（１）上に設けることを特徴とする、請求項１ないし１０のうちのいずれか１項に記載の方法。
【請求項１３】
前記モニタ（１）として、カラーＬＣＤモニタ、プラズマディスプレイ、投影スクリーン、ＬＥＤベースのモニタ、ＯＬＥＤベースのモニタ、ＳＥＤモニタ、またはＶＦＤモニタが用いられることを特徴とする、上記請求項１ないし１２のうちのいずれか１項に記載の方法。
【請求項１４】
前記パララックスバリアスクリーン（２）は、垂直線に対して角度（ａ）傾斜させた透明および不透明の部分を含むことを特徴とする、上記請求項１ないし１３のうちのいずれか１項に記載の方法。
【請求項１５】
前記パララックスバリアスクリーン（２）がガラス基板からなり、その裏面にバリア構造が設けられることを特徴とする、上記請求項１ないし１４のうちのいずれか１項に記載の方法。
【請求項１６】
前記バリア構造が、露光および現像された写真用フィルムであり、当該フィルムが前記ガラス基板の裏面に積層され、好ましくは、前記写真用フィルムの乳剤層が前記ガラス基板に対面しないことを特徴とする、請求項１５に記載の方法。
【請求項１７】
前記バリア構造の不透明領域は、前記ガラス基板に印刷されたインクによって形成されることを特徴とする、請求項１５に記載の方法。
【請求項１８】
前記パララックスバリアスクリーン（２）は、反射光を低減する手段、好ましくは、少なくとも１つの干渉光反射防止層を含むことを特徴とする、上記請求項１ないし１７のうちのいずれか１項に記載の方法。
【請求項１９】
前記モニタ（１）は、映像表示要素ｘ（ｉ、ｊ）としてカラーサブピクセル（Ｒ、Ｇ、Ｂ）を有する１７インチＬＣＤモニタであり、前記画素ｘ（ｉ、ｊ）の高さが略０．２６４ｍｍであり、幅が略０．０８８ｍｍであり、前記呈示されるテストパターンにおける種々の視点Ａ（ｋ）の映像部分情報が以下のように配置され、
2010529495.tif 000013
前記パララックスバリアスクリーン（２）の前記透明部分が、前記垂直線に対して傾斜角ａ＝２３．９６２４８８９７°を有し、前記部分の幅ｅは、前記画素ｘ（ｉ、ｊ）を有する前記ラスタの行方向に、それぞれ０．１７５７６２ｍｍであり、その高さｌが０．３９５４６４５ｍｍであり、最終的に、前記透明部分の前記水平周期ｚｅが０．７０３０４８ｍｍであり、前記垂直周期ｚｌが１．５８１８５８ｍｍであることを特徴とする、上記請求項１ないし１８のうちのいずれか１項に記載の方法。
【請求項２０】
前記モニタ（１）は、画素ｘ（ｉ、ｊ）としてカラーサブピクセル（Ｒ、Ｇ、Ｂ）を有する３２インチＬＣＤモニタであり、前記画素ｘ（ｉ、ｊ）の高さが略０．５１１ｍｍであり、幅が略０．１７０３３ｍｍであり、前記テストパターンにおける種々の視点Ａ（ｋ）の映像部分情報が以下のように配置され、
2010529495.tif 000014
前記パララックスバリアスクリーン（２）の前記透明部分が、前記垂直線に対して傾斜角ａ＝２３．９６２４８８９７°を有し、前記部分の幅ｅは、前記画素ｘ（ｉ、ｊ）を有する前記ラスタの行方向に、それぞれ０．３３９７７６ｍｍであり、その高さｌが０．７６４４９６ｍｍであり、最終的に、前記透明部分の前記水平周期ｚｅが１．３５９１０４ｍｍであり、前記垂直周期ｚｌが３．０５７９８４ｍｍであることを特徴とする、請求項１ないし１８のうちのいずれか１項に記載の方法。
【請求項２１】
前記モニタ（１）は、画素ｘ（ｉ、ｊ）としてカラーサブピクセル（Ｒ、Ｇ、Ｂ）を有する４０インチＬＣＤモニタであり、前記画素ｘ（ｉ、ｊ）の高さが略０．６４８ｍｍであり、幅が略０．２１６ｍｍであり、前記呈示されるテストパターンにおける種々の視点Ａ（ｋ）の映像部分情報が以下のように配置され、
2010529495.tif 000015
前記パララックスバリアスクリーン（２）の前記透明部分が、前記垂直線に対して傾斜角ａ＝２３．９６２４８８９７°を有し、前記部分の幅ｅは、前記画素ｘ（ｉ、ｊ）を有する前記ラスタの行方向に、それぞれ０．４３０５６９２ｍｍであり、その高さｌが０．９６８７８１ｍｍであり、最終的に、前記透明部分の前記水平周期ｚｅが１．７２２２７６８ｍｍであり、前記垂直周期ｚｌが３．８７５１２４ｍｍであることを特徴とする、請求項１ないし１８のうちのいずれか１項に記載の方法。
【国際調査報告】
2010529495.tif 000016
2010529495.tif 000017
2010529495.tif 000018
2010529495.tif 000019